(57)【要約】【課題】  必要時に通信条件を見直すようにする。【解決手段】  移動端末（１２−１）の復調装置（５２）は、下りリンクの受信信号の信号品質を計測し、環境変化検出装置（５４）に供給する。環境変化検出装置（５４）は、復調装置（５２）からの信号品質の、互いに異なる期間の異なる統計値の対比結果に従い、通信条件を見直すべき所定の変化があるかどうかを検出する。移動端末（１２−１）は、環境変化検出装置（５４）の環境変化検出結果を上りリンクで基地局（１０Ａ）に送信する。基地局（１０Ａ）の制御装置（２０）は、移動端末（１２−１）からの環境変化検出結果を管理サーバ（１４）に通知する。管理サーバ（１４）は、基地局（１０Ａ，１０Ｂ）からの環境変化検出結果に従い、基地局（１０Ａ，１０Ｂ）の通信条件、例えば、基地局パラメータを見直す。【選択図】  図１
2013211668.tif 000002
【特許請求の範囲】
【請求項１】
基地局（１０，１１０）、並びに、当該基地局との間で上りリンク及び下りリンクを介して通信する１以上の移動端末（１２−１〜１２−３，１１２−１〜１１２−３）からなる移動体通信システムであって、
当該移動端末に配置され、当該下りリンクの受信信号の信号品質を計測する信号品質計測手段（５２，１５２）と、
当該信号品質の、互いに異なる期間の異なる統計値の対比結果に従い、当該下りリンクの通信環境に通信条件を見直すべき所定の変化があるかどうかを検出する環境変化検出手段（５４，１５４−１）と、
当該基地局に配置され、当該環境変化検出手段により当該所定の変化が検出される場合に、当該通信条件を見直す制御手段（１４，１１４，２０，１２０）
とを具備することを特徴とする移動体通信システム。
【請求項２】
当該環境変化検出手段が当該移動端末に配置され、
当該移動端末が当該環境変化検出手段の検出結果を当該上りリンクを介して当該基地局に送信する手段を具備する
ことを特徴とする請求項１に記載の移動体通信システム。
【請求項３】
当該環境変化検出手段が当該基地局に配置され、
当該移動端末が、当該信号品質計測手段で計測される当該信号品質を示す情報を当該上りリンクを介して当該基地局に送信する手段を具備する
ことを特徴とする請求項１に記載の移動体通信システム。
【請求項４】
当該基地局が、当該上りリンクの受信信号の信号品質を計測する上りリンク信号品質計測手段（３２，１３２）を具備し、
当該環境変化検出手段が、当該上りリンク信号品質計測手段により計測される信号品質の、互いに異なる期間の異なる統計値の対比結果に従い、当該上りリンクの通信環境に通信条件を見直すべき所定の変化があるかどうかを検出し、
更に、当該環境変化検出手段により該上りリンクの通信環境に通信条件を見直すべき当該所定の変化が検出される場合に、当該上りリンクの通信条件を見直す制御手段（１１４，１２０）を具備する
ことを特徴とする請求項３に記載の移動体通信システム。
【請求項５】
当該環境変化検出手段が、
当該信号品質の第１の期間Ｔ１における累積確率密度分布を演算し、当該所定の変化の検出のための範囲を規定する上限値及び下限値を決定する累積処理手段と、
当該信号品質の、当該第１の期間Ｔ１より短い第２の期間における平均値を算出する平均算出手段と、
当該平均値が当該上限値と当該下限値で規定される範囲から外れたか否かを検出する手段
とを具備し、
当該平均値が当該上限値と当該下限値で規定される範囲から外れた場合に、当該所定の変化の検出を示す信号を出力する
ことを特徴とする請求項１乃至４の何れか１項に記載の移動体通信システム。
【請求項６】
基地局（１１０）、並びに、当該基地局との間で上りリンク及び下りリンクを介して通信する１以上の移動端末（１１２−１，１１２−２）からなる移動体通信システムであって、
当該基地局が、
当該上りリンクの受信信号の信号品質を計測する信号品質計測手段（１３２）と、
当該信号品質の、互いに異なる期間の異なる統計値の対比結果に従い、当該上りリンクの通信環境に通信条件を見直すべき所定の変化があるかどうかを検出する環境変化検出手段（１５４−１）と、
当該環境変化検出手段により当該所定の変化が検出される場合に、当該通信条件を見直す制御手段（１２０）
とを具備することを特徴とする移動体通信システム。
【請求項７】
当該環境変化検出手段が、
当該信号品質の第１の期間Ｔ１における累積確率密度分布を演算し、当該所定の変化の検出のための範囲を規定する上限値及び下限値を決定する累積処理手段と、
当該信号品質の、当該第１の期間Ｔ１より短い第２の期間における平均値を算出する平均算出手段と、
当該平均値が当該上限値と当該下限値で規定される範囲から外れたか否かを検出する手段
とを具備し、
当該平均値が当該上限値と当該下限値で規定される範囲から外れた場合に、当該所定の変化の検出を示す信号を出力する
ことを特徴とする請求項６に記載の移動体通信システム。
【請求項８】
移動体通信システムの基地局であって、
移動端末への下りリンクの当該移動端末で計測される受信信号の信号品質を受信する受信手段（１３０）と、
当該信号品質の、互いに異なる期間の異なる統計値の対比結果に従い、当該下りリンクの通信環境に通信条件を見直すべき所定の変化があるかどうかを検出する環境変化検出手段（１５４−１）と、
当該環境変化検出手段により当該所定の変化が検出される場合に、当該通信条件を見直す制御手段（１１４，１２０）
とを具備することを特徴とする基地局。
【請求項９】
当該受信手段が当該移動端末からの上りリンクの信号を受信し、
更に、当該上りリンクの受信信号の信号品質を計測する信号品質計測手段を具備し、
当該環境変化検出手段は、当該信号品質計測手段で計測される当該信号品質の、互いに異なる期間の異なる統計値の対比結果に従い、当該上りリンクの通信環境に通信条件を見直すべき所定の変化があるかどうかを検出し、
当該制御手段が、当該環境変化検出手段により当該上りリンクの通信環境に通信条件を見直すべき所定の変化があるかどうかを検出される場合に、当該上りリンクの通信条件を見直す
ことを特徴とする請求項８に記載の基地局。
【請求項１０】
当該環境変化検出手段が、
当該信号品質の第１の期間Ｔ１における累積確率密度分布を演算し、当該所定の変化の検出のための範囲を規定する上限値及び下限値を決定する累積処理手段と、
当該信号品質の、当該第１の期間Ｔ１より短い第２の期間における平均値を算出する平均算出手段と、
当該平均値が当該上限値と当該下限値で規定される範囲から外れたか否かを検出する手段
とを具備し、
当該平均値が当該上限値と当該下限値で規定される範囲から外れた場合に、当該所定の変化の検出を示す信号を出力する
ことを特徴とする請求項８又は９に記載の基地局。
【請求項１１】
移動体通信システムの基地局であって、
移動端末からの上りリンクの信号を受信する受信手段（１３０）と、
当該受信手段の受信信号の信号品質を計測する信号品質計測手段（１３２）と、
当該信号品質の、互いに異なる期間の異なる統計値の対比結果に従い、当該上りリンクの通信環境に通信条件を見直すべき所定の変化があるかどうかを検出する環境変化検出手段（１５４−１）と、
当該環境変化検出手段により当該所定の変化が検出される場合に、当該通信条件を見直す制御手段（１１４，１２０）
とを具備することを特徴とする基地局。
【請求項１２】
当該環境変化検出手段が、
当該信号品質の第１の期間Ｔ１における累積確率密度分布を演算し、当該所定の変化の検出のための範囲を規定する上限値及び下限値を決定する累積処理手段と、
当該信号品質の、当該第１の期間Ｔ１より短い第２の期間における平均値を算出する平均算出手段と、
当該平均値が当該上限値と当該下限値で規定される範囲から外れたか否かを検出する手段
とを具備し、
当該平均値が当該上限値と当該下限値で規定される範囲から外れた場合に、当該所定の変化の検出を示す信号を出力する
ことを特徴とする請求項１１に記載の基地局。
【請求項１３】
受信信号の信号品質を計測する信号品質計測手段と、
当該信号品質の、互いに異なる期間の異なる統計値の対比結果に従い、通信環境に通信条件を見直すべき所定の変化があるかどうかを検出する環境変化検出手段と、
当該環境変化検出手段により当該所定の変化が検出される場合に、当該通信条件を見直す制御手段
とを具備することを特徴とする信号伝送システム。
【請求項１４】
当該環境変化検出手段が、
当該信号品質の第１の期間Ｔ１における累積確率密度分布を演算し、当該所定の変化の検出のための範囲を規定する上限値及び下限値を決定する累積処理手段と、
当該信号品質の、当該第１の期間Ｔ１より短い第２の期間における平均値を算出する平均算出手段と、
当該平均値が当該上限値と当該下限値で規定される範囲から外れたか否かを検出する手段
とを具備し、
当該平均値が当該上限値と当該下限値で規定される範囲から外れた場合に、当該所定の変化の検出を示す信号を出力する
ことを特徴とする請求項１３に記載の信号伝送システム。
【発明の詳細な説明】
【技術分野】
【０００１】
本発明は、移動体通信システム、基地局及び信号伝送システムに関する。
【背景技術】
【０００２】
移動体通信システムでは、移動端末の利用環境により通信条件が大きく変動するので、受信側での受信信号の信号品質等により通信条件、例えば、送信電力及び変調条件等を自動調節するのが一般的である。基地局や移動端末が取得した無線の品質情報（ＳＩＮＲ：信号対干渉雑音比）並びに隣接セル・基地局の存在及びこれらの品質情報をもとに、基地局パラメータを最適化する技術として、ＳＯＮ（Ｓｅｌｆ-Ｏｒｇａｎｉｚｉｎｇ  Ｎｅｔｗｏｒｋ）が知られている。ここで調整される基地局パラメータには、送信電力、拡散コード、アンテナのチルト角度、送信タイミング、端末へのリソースブロックの割当て及びハンドオーバ処理を開始する閾値等がある。基地局パラメータに依存するパラメータは、基地局パラメータの変更により間接的に変更されることになる。
【０００３】
例えば、特許文献１には、通信中の移動端末が高速移動する際に、移動端末が受信する受信信号の信号品質に応じて基地局を切り替えるハンドオーバ技術が記載されている。
【先行技術文献】
【特許文献】
【０００４】
【特許文献１】特開２００９−０１０９８９号公報
【発明の概要】
【発明が解決しようとする課題】
【０００５】
移動体通信システムでは、通信環境が長期的にも短期的に変動する。その通信環境の変動に応じて通信条件、例えば、上述の基地局パラメータを調整する必要があるものの、即時的な調整は却って通信を不安定化する。また、一定周期での見直しでは、遅きに失することがあり、何らかの基準に基づき通信条件を見直すのが好ましい。
【０００６】
通信環境を示す指標値が一定の固定閾値を超えた場合に通信条件を見直す方法が考えられるが、このような方法は、その閾値を適切なに設定する必要があるだけでなく、想定される通信環境の変動に対応する一定値を決定することが難しい。
【０００７】
複数の基地局との通信が可能な状況では、隣接する複数の基地局が連携して基地局パラメータを調整する必要があり、頻繁な基地局パラメータの見直しは、移動体通信システム全体の負荷を増大させてしまう。
【０００８】
本発明は、このような不都合を解消し、効率的で安定な移動体通信を実現する移動体通信システム、基地局及び信号伝送システムを提示することを目的とする。
【課題を解決するための手段】
【０００９】
本発明に係る移動体通信システムは、基地局、並びに、当該基地局との間で上りリンク及び下りリンクを介して通信する１以上の移動端末からなる移動体通信システムであって、当該移動端末に配置され、当該下りリンクの受信信号の信号品質を計測する信号品質計測手段と、当該信号品質の、互いに異なる期間の異なる統計値の対比結果に従い、当該下りリンクの通信環境に通信条件を見直すべき所定の変化があるかどうかを検出する環境変化検出手段と、当該基地局に配置され、当該環境変化検出手段により当該所定の変化が検出される場合に、当該通信条件を見直す制御手段とを具備することを特徴とする。
【００１０】
本発明に係る移動体通信システムは、基地局、並びに、当該基地局との間で上りリンク及び下りリンクを介して通信する１以上の移動端末からなる移動体通信システムであって、当該基地局が、当該上りリンクの受信信号の信号品質を計測する信号品質計測手段と、当該信号品質の、互いに異なる期間の異なる統計値の対比結果に従い、当該上りリンクの通信環境に通信条件を見直すべき所定の変化があるかどうかを検出する環境変化検出手段と、当該環境変化検出手段により当該所定の変化が検出される場合に、当該通信条件を見直す制御手段とを具備することを特徴とする。
【００１１】
本発明に係る基地局は、移動体通信システムの基地局であって、移動端末への下りリンクの当該移動端末で計測される受信信号の信号品質を受信する受信手段と、当該信号品質の、互いに異なる期間の異なる統計値の対比結果に従い、当該下りリンクの通信環境に通信条件を見直すべき所定の変化があるかどうかを検出する環境変化検出手段と、当該環境変化検出手段により当該所定の変化が検出される場合に、当該通信条件を見直す制御手段とを具備することを特徴とする。
【００１２】
本発明に係る基地局は、移動体通信システムの基地局であって、移動端末からの上りリンクの信号を受信する受信手段と、当該受信手段の受信信号の信号品質を計測する信号品質計測手段と、当該信号品質の、互いに異なる期間の異なる統計値の対比結果に従い、当該上りリンクの通信環境に通信条件を見直すべき所定の変化があるかどうかを検出する環境変化検出手段と、当該環境変化検出手段により当該所定の変化が検出される場合に、当該通信条件を見直す制御手段とを具備することを特徴とする。
【００１３】
本発明に係る信号伝送システムは、受信信号の信号品質を計測する信号品質計測手段と、当該信号品質の、互いに異なる期間の異なる統計値の対比結果に従い、通信環境に通信条件を見直すべき所定の変化があるかどうかを検出する環境変化検出手段と、当該環境変化検出手段により当該所定の変化が検出される場合に、当該通信条件を見直す制御手段とを具備することを特徴とする。
【発明の効果】
【００１４】
本発明によれば、通信条件を見直すべき通信環境の変化を適切に検出でき、従って、適切なタイミングで通信条件の見直しを始動できる。これにより、通信条件の見直しによる過剰な負荷をシステムにかけることが無くなる。
【図面の簡単な説明】
【００１５】
【図１】本発明の第１実施例の概略構成ブロック図である。
【図２】環境変化検出装置の概略構成ブロック図を示す。
【図３】受信信号品質の累積確率密度分布の一例を示す。
【図４】本発明の第２実施例の概略構成ブロック図である。
【発明を実施するための形態】
【００１６】
以下、図面を参照して、本発明の実施例を詳細に説明する。
【実施例１】
【００１７】
図１は、移動体通信システムの下りリンク、即ち基地局から移動端末へのリンクに適用した本発明の一実施例の概略構成ブロック図を示す。
【００１８】
基地局１０Ａ，１０Ｂはそれぞれ、複数の所定数の移動端末を収容可能である。図１では、説明用に、移動端末１２−１が基地局１０Ａと下りデータＤｄ（１）及び上りデータＤｕ（１）を通信し、移動端末１２−２が基地局１０Ａと下りデータＤｄ（２）及び上りデータＤｕ（２）を通信し、移動端末１２−３が基地局１０Ｂと下りデータＤｄ（３）及び上りデータＤｕ（３）を通信している。各移動端末１２−１〜１２−３は同じ構成からなる。
【００１９】
図示していないが、基地局１０Ａ，１０Ｂは上位ネットワークに接続しており、移動端末１２（１２−１〜１２−３）との間の通信を仲介している。管理サーバ１４が、基地局１０Ａ，１０Ｂを管理する。基地局１０Ａ，１０Ｂを管理及び制御するために、管理サーバ１４は、基地局１０Ａ，１０Ｂの基地局パラメータを設定するパラメータ設定装置１６を具備する。
【００２０】
移動端末１２−１を例に、基地局１０Ａと移動端末１２との間の基本的な通信動作を説明する。制御装置２０が基地局１０の各部を全体的に制御する。上位ネットワークから変調装置２２に移動端末１２−１，１２−２向けの下りデータＤｄ（１），Ｄｄ（２）が入力する。変調装置２２は、各下りデータＤｄ（１），Ｄｄ（２）及び制御装置２０からの各移動端末１２−１，１２−２向けの制御信号（各種の要求信号及び応答信号を含む。）等を、制御装置２０により指定される変調条件（例えば、変調多値数）で変調し、各被変調信号をＲＦ送信装置２４に供給する。ＲＦ送信装置２４は、変調装置２２からの下りデータＤｄ（１），Ｄｄ（２）及び制御信号を搬送する被変調信号を周波数分割多重方式又は時分割多重方式で多重し周波数変換（例えば、アップコーンバート）をして下りＲＦ信号を生成し、サーキュレータ２６に供給する。詳細は後述するが、ＲＦ送信装置２４は、制御装置２０からの電力制御信号に従い、各移動端末向けの下りＲＦ信号の送信電力を調整する。
【００２１】
サーキュレータ２６は、ＲＦ送信装置２４からの下りＲＦ信号をアンテナ２８に供給し、アンテナ２８は、この下りＲＦ信号を移動端末１２−１，１２−２に向けて電波信号として放射する。
【００２２】
各移動端末１２−１，１２−２は基地局１０Ａからの下りＲＦ信号の内、自己宛の下りＲＦ信号を受信する。移動端末１２−１を例にその構成と動作を説明する。
【００２３】
制御装置４０が、移動端末１２−１の各部を全体的に制御する。アンテナ４８は、基地局１０Ａからの下りＲＦ信号を受信し、サーキュレータ４６を介してＲＦ受信装置５０に供給する。ＲＦ受信装置５０は、サーキュレータ４６からの下りＲＦ信号を周波数変換（例えば，ダウンコンバート）し、自己宛（移動端末１２−１宛）の成分を分離して、復調装置５２に供給する。復調装置５２は、ＲＦ受信装置５０からの下り信号を復調し、下り信号の内の下りデータＤｕ（１）を内部用に又は外部装置に向けて出力する。なお、下り信号は、移動端末１２−１と基地局１０Ａとの間の通信に関する制御信号及びステータス信号等を含み、復調装置５２は、これらの信号を制御装置４０に供給する。復調装置５２はまた、下りデータＤｄ（１）の復調に際してＳＩＮＲ（信号対干渉雑音比）を計測し、計測したＳＩＮＲ値を環境変化検出装置５４に供給する。詳細は後述するが、環境変化検出装置５４は、環境変化検出結果を示す信号、具体的には、復調装置５２から供給されるＳＩＮＲ値の所定の変化に対して基地局パラメータの見直しを基地局に要求する基地局パラメータ変更要求信号を変調装置４２に出力する。
【００２４】
変調装置４２は、上りデータＤｕ（１）、制御装置４０からの基地局１０Ａ向けの制御信号等、及び環境変化検出装置５４の環境変化検出結果出力を、制御装置４０により指定される変調条件（例えば、変調多値数）で変調し、被変調信号をＲＦ送信装置４４に供給する。ＲＦ送信装置４４は、変調装置４２から出力される被変調信号を周波数変換して上りＲＦ信号を生成し、制御装置４０からの電力制御信号に従う送信電力でサーキュレータ４６に出力する。サーキュレータ４６は、ＲＦ送信装置４４からの上りＲＦ信号をアンテナ４８に供給し、アンテナ４８は、この上りＲＦ信号を基地局１０Ａに向けて電波信号として放射する。
【００２５】
基地局１０Ａのアンテナ２８は、移動端末１２−１，１２−２からの上りＲＦ信号を受信し、サーキュレータ２６を介してＲＦ受信装置３０に供給する。ＲＦ受信装置３０は、サーキュレータ２６からの上りＲＦ信号を周波数変換し、各移動端末１２−１，１２−２からの上り信号に分離して、復調装置３２に供給する。復調装置３２は、ＲＦ受信装置３０からの各移動端末１２−１，１２−２からの上り信号を復調し、上り信号の内の上りデータＤｕ（１），Ｄｕ（２）を上位ネットワークに供給する。なお、上り信号は、各移動端末１２−１，１２−２と基地局１０との間の通信に関する制御信号及びステータス信号等、並びに環境変化検出装置５４の環境変化検出結果を含み、復調装置３２は、これらの信号を制御装置２０に供給する。
【００２６】
制御装置２０は移動端末１２−１からの基地局パラメータ変更要求に相当する環境変化検出結果を受信すると、基地局パラメータの見直し処理を始動する。
【００２７】
基地局１０Ａと移動端末１２−２との間の通信、及び、基地局１０Ｂと移動端末１２−３との間の通信も、上述した基地局１０Ａと移動端末１２−１との間の通信と同じである。
【００２８】
基地局１０Ａと移動端末１２−１との間の通信を例に、移動端末１２−１での受信信号品質に応じて基地局１０Ａの基地局パラメータを制御する動作を詳細に説明する。
【００２９】
先に説明したように、環境変化検出装置５４は、復調装置５２から供給されるＳＩＮＲ値の所定の変化に対して、基地局パラメータの見直しを基地局に要求する基地局パラメータ変更要求信号を変調装置４２に出力する。
【００３０】
図２は、環境変化検出装置５４の概略構成ブロック図を示す。復調装置５２で検出される受信データＤｄ（１）の信号品質ＳＩＮＲは、逐次、環境変化検出装置５４の遅延線６０に入力する。遅延線６０は、単位時間Δｔのｎ台の遅延器６２−１〜６２−ｎをシリアルに接続した構成からなり、トータルの遅延時間はＴ１である。遅延線６０の各遅延器６２−１〜６２−ｎから出力される期間Ｔ１の信号品質値は、累積処理装置６４に入力し、遅延線６０の入力側のｋ台の遅延器６２−１〜６２−ｋから出力される期間Ｔ２の信号品質値は、平均算出装置６６にも入力する。換言すると、累積処理装置６４には、現時点から期間Ｔ１だけ遡る範囲の信号品質値が入力し、平均算出装置６６には、現時点から期間Ｔ２（但し、Ｔ２＜Ｔ１）だけ遡る範囲の信号品質値が入力する。第３世代（いわゆる３Ｇ）の移動体通信システムに適用した場合、例えば、Ｔ１は数十秒から数分程度、Ｔ２は数秒程度である。
【００３１】
累積処理装置６４は、ｎ台の遅延器６２−１〜６２−ｎからの信号品質値から期間Ｔ１における信号品質値の累積確率密度分布を計算し、その累積確率密度分布から信号品質の上限値Ｔｍａｘと下限値Ｔｍｉｎを決定する。図３は、累積確率密度分布の一例を示す。横軸は信号品質値を示し、縦軸は信号品質の累積確率密度を示す。曲線８０は期間Ｔ１の信号品質値から得られた累積確率密度分布を示す。上限品質確率値８２は、上限値Ｔｍａｘを決定するのに使用され、下限品質確率値８４は、下限値Ｔｍｉｎを決定するのに使用される。例えば、上限品質確率は９０％、下限品質確率は１０％であり、予め累積処理装置６４にセットされている。
【００３２】
累積処理装置６４は、遅延線６０からのｎ個の信号品質値から曲線８０に示すような累積確率密度分布を描出し、得られた累積確率密度分布に、予め設定した上限品質確率値８２及び下限品質確率値８４を適用してそれぞれ上限値Ｔｍａｘ及び下限値Ｔｍｉｎを決定する。
【００３３】
他方、平均算出装置６６は、遅延線６０の入力側のｋ台の遅延器６２−１〜６２−ｋからの信号品質値の平均値を算出する。即ち、平均算出装置６６は、遅延器６２−１〜６２−ｋからのｋ個の信号品質値を加算し、ｋで除算する。
【００３４】
比較器６８，７０及び加算器７２は、平均算出装置６６で算出された平均値が、累積処理装置６４で決定された上限値と下限値の間に入っているかどうかを判定する装置である。
【００３５】
具体的には、比較器６８は、累積処理装置６４からの上限値Ｔｍａｘと平均算出装置６６からの平均値ＡＶＲとを比較し、平均値ＡＶＲが上限値よＴｍａｘより小さい場合に２進値”０”を、平均値ＡＶＲが上限値Ｔｍａｘ以上の場合には２進値”１”を出力する。また、比較器７０は、累積処理装置６４からの下限値Ｔｍｉｎと平均算出装置６６からの平均値ＡＶＲとを比較し、平均値ＡＶＲが下限値Ｔｍｉｎを超える場合に２進値”０”を、平均値ＡＶＲが下限値Ｔｍｉｎ以下の場合には２進値”１”を出力する。加算器７２は、比較器６８，７０の出力値を加算する。
【００３６】
比較器６８の出力値”１”は信号品質が一時的では無い改善をしていることを示し、比較器７０の出力値”１”は、信号品質が一時的では無い悪化をしていることを示す。これらは同時には起こらないので、加算器７２の出力値は”０”か”１”であり、加算器７２の出力値”１”は、受信信号の信号品質が大きく変化したことを示す。但し、期間Ｔ１の変化に対する期間Ｔ２の平均値で評価しているので、一時的な変化は排除され、ある程度、時間的に継続する信号品質の変化を評価していることになる。
【００３７】
加算器７２の加算結果は環境変化検出装置５４の環境変化検出結果出力であり、加算器７２の出力値１は、基地局パラメータの見直しを基地局１０Ａに要求する基地局パラメータ変更要求信号として、変調装置４２に供給され、ＲＦ送信装置４４、サーキュレータ４６及びアンテナ４８を介して基地局１０Ａに送信される。
【００３８】
基地局１０Ａの制御装置２０は、移動端末１２−１からの基地局パラメータ変更要求信号を管理サーバ１４に転送する。管理サーバ１４は、この基地局パラメータ変更要求信号により、基地局１０Ａと移動端末１２−１との間の通信環境に無視できない変化が発生したことを知ることができる。管理サーバ１４のパラメータ設定装置１６は、他の基地局１０Ｂも考慮の上で、基地局１０Ａと移動端末１２−１との間、および基地局１０Ａと移動端末１２−２との間の通信に関する基地局１０Ａの基地局パラメータと、基地局１０Ｂと移動端末１２−３との間の通信に関する基地局１０Ｂの基地局パラメータを決定し、基地局１０Ａの制御装置２０と基地局１０Ｂの制御装置２０に通知する。制御装置２０は、管理サーバ１４のパラメータ設定装置１６から通知された内容に即した基地局パラメータを関係する手段に設定する。
【００３９】
基地局パラメータの見直しに関して、管理サーバ１４の関与が不要な場合、制御装置２０は単独で、基地局１０Ａあるいは基地局１０Ｂの基地局パラメータの見直し処理を始動してもよく、必要により見直した基地局パラメータの内容を管理サーバ１４に通知すれば良い。
【実施例２】
【００４０】
図４は、上りリンクに対して適用した本発明の第２実施例の概略構成ブロック図を示す。環境変化検出装置５４と同機能の環境変化検出装置１５４−１〜１５４−ｎを、収容可能な移動端末数に応じた数だけ基地局側に配置することで、各移動端末から基地局に向かう上りリンクの通信状況の変化を検出でき、一定以上の変化に対し当該上りリンクに対する基地局パラメータの見直しを始動することができる。図４に示す実施例の手段１２２〜１３２，１４２〜１５２は、図１に示す実施例の手段２２〜３２，４２〜５２に対応し、基本的な機能自体は同じである。
【００４１】
基地局１１０Ａ，１１０Ｂはそれぞれ、複数の所定数の移動端末を収容可能である。図４では、説明用に、移動端末１１２−１が基地局１１０Ａと下りデータＤｄ（１）及び上りデータＤｕ（１）を通信し、移動端末１１２−２が基地局１０Ａと下りデータＤｄ（２）及び上りデータＤｕ（２）を通信し、移動端末１１２−３が基地局１１０Ｂと下りデータＤｄ（３）及び上りデータＤｕ（３）を通信している。各移動端末１１２（１１２−１〜１２−３）は同じ構成からなる。
【００４２】
基地局１１０Ａ，１１０Ｂは基地局１０Ａ，１０Ｂと同様に上位ネットワークに接続しており、移動端末１１２（１１２−１〜１１２−３）との間の通信を仲介している。管理サーバ１１４が、基地局１１０Ａ，１１０Ｂを管理する。基地局１１０Ａ，１１０Ｂを管理及び制御するために、管理サーバ１１４は、基地局１１０Ａ，１１０Ｂの基地局パラメータを設定するパラメータ設定装置１１６を具備する。
【００４３】
基地局１１０Ａと移動端末１１２との間の基本的な通信動作自体は、実施例１と同様であるので、詳細な説明を省略し、基地局１１０Ａ及び移動端末１１２−１について、相違点を説明する。
【００４４】
基地局１１０Ａの復調装置１３２は、移動端末１１２−１からの上り信号の信号品質（例えば、ＳＩＮＲ値）を計測し、その計測結果を環境変化検出装置１５４−１に供給する。環境変化検出装置１５４−１は環境変化検出装置５４−１と同じ構成からなり、復調装置１３２から入力する信号品質値に従い、当該信号品質値の期間Ｔ１の累積確率密度分布から決定される上限値と下限値、並びに、当該信号品質値の期間Ｔ２の平均値とから、環境変化の有無を検出する。この動作は、環境変化検出装置５４−１と同じである。環境変化検出装置１５４−１は、環境変化の検出結果に基づく基地局パラメータ変更要求信号を管理サーバ１１４のパラメータ設定装置１１６に供給する。環境変化検出装置１５４−１による環境変化の検出結果は、もちろん、制御装置１２０を介して管理サーバ１１４に転送しても良い。
【００４５】
管理サーバ１１４は、基地局１１０Ａ（環境変化検出装置１５４−１又は制御装置１２０）からの基地局パラメータ変更要求信号により、基地局１１０Ａと移動端末１１２−１との間の通信環境に無視できない変化が発生したことを知ることができ、配下の関係する基地局の基地局パラメータ見直し処理を始動する。具体的には。管理サーバ１１４のパラメータ設定装置１１６は、他の基地局１１０Ｂも考慮の上で、基地局１１０Ａと移動端末１１２−１および移動端末１１２−２との間の通信に関する基地局１１０Ａの基地局パラメータ、および基地局１１０Ｂと移動端末１１２−３との間の通信に関する基地局１１０Ｂの基地局パラメータを決定し、基地局１１０Ａの制御装置１２０および基地局１１０Ｂの制御装置１２０に通知する。制御装置１２０は、管理サーバ１１４のパラメータ設定装置１１６から通知された内容に即した基地局パラメータを関係する手段に設定する。
【００４６】
基地局パラメータの見直しに関して、管理サーバ１１４の関与が不要な場合、制御装置１２０は単独で、基地局１１０Ａあるいは基地局１０Ｂの基地局パラメータの見直し処理を始動してもよく、必要により見直した基地局パラメータの内容を管理サーバ１１４に通知すれば良い。
【実施例３】
【００４７】
図４に示す構成はまた、下りリンクに関する基地局パラメータの変更にも適用可能である。下りリンクに適用する場合には、以下のように動作させる。
【００４８】
移動端末１１２−１の復調装置１５２は、受信信号の信号品質を計測して、その計測結果を制御装置１４０に供給する。制御装置１４０は、復調装置１５２からの受信信号品質を示す情報を、基地局１１０Ａに送信するように変調装置１４２に供給する。受信信号品質情報は、変調装置１４２、ＲＦ送信装置１４４、サーキュレータ１４６及びアンテナ１４８を介して基地局１１０Ａに送信され、基地局１１０Ａでは、アンテナ１２８、サーキュレータ１２６、ＲＦ受信装置１３０及び復調装置１３２を介して環境変化検出装置１５４−１に入力する。環境変化検出装置１５４−１は、環境変化検出装置５４−１と同様に、下りリンクの受信信号品質に従い、下りリンクの環境変化を検出する。
【００４９】
実施例２では、復調装置１３２が受信信号の信号品質を計測するのに対し、実施例３では復調装置１５２が受信信号の信号品質を計測する点が異なる。
【００５０】
移動体通信システムでは、通信環境が長期的にも短期的に変動し、通信環境の変動に応じて通信条件を調整する必要があるものの、即時的な調整は却って通信を不安定化する。しかし、上記各実施例では、基地局と移動端末との間の通信について上りリンクと下りリンクの通信環境を個別に計測し、受信信号の信号品質を累積確率密度分布で評価して、安定運用範囲を示す上限値と下限値を決定するので、信号品質の安定的なレベルが長期的に変動する移動体通信においても、基地局パラメータを保持すべき範囲（上限値／下限値）を適切に決定できる。より短期で計測した平均値が、このように決定される上限値／下限値の範囲から逸脱する場合に、通信環境、具体的には基地局パラメータの見直しを始動するので、一定閾値又は一定範囲で通信環境の見直しの判断する従来例に比べ、より適切で時宜に適した見直し制御を実現できる。この結果、通信環境が長期的／短期的な変動に関わらず、安定した通信を実現できる。
【００５１】
特定の説明用の実施例を参照して本発明を説明したが、特許請求の範囲に規定される本発明の技術的範囲を逸脱しないで、上述の実施例に種々の変更・修整を施しうることは、本発明の属する分野の技術者にとって自明であり、このような変更・修整も本発明の技術的範囲に含まれる。
【符号の説明】
【００５２】
１０Ａ，１０Ｂ：基地局
１２（１２−１〜１２−３）：移動端末
１４：管理サーバ
１６：パラメータ設定装置
２０：制御装置
２２：変調装置
２４：ＲＦ送信装置
２６：サーキュレータ
２８：アンテナ
３０：ＲＦ受信装置
３２：復調装置
４０：制御装置
４２：変調装置
４４：ＲＦ送信装置
４６：サーキュレータ
４８：アンテナ
５０：ＲＦ受信装置
５２：復調装置
５４：環境変化検出装置
６０：遅延線
６２−１〜６２−ｋ〜６２−ｎ：遅延器
６４：累積処理装置
６６：平均算出装置
６８，７０：比較器
７２：加算器
８０：信号品質の累積確率密度分布曲線
８２：上下品質確率値
８４：下限品質確率値
１１０Ａ，１１０Ｂ：基地局
１１２（１１２−１〜１１２−３）：移動端末
１１４：管理サーバ
１１６：パラメータ設定装置
１２０：制御装置
１２２：変調装置
１２４：ＲＦ送信装置
１２６：サーキュレータ
１２８：アンテナ
１３０：ＲＦ受信装置
１３２：復調装置
１４０：制御装置
１４２：変調装置
１４４：ＲＦ送信装置
１４６：サーキュレータ
１４８：アンテナ
１５０：ＲＦ受信装置
１５２：復調装置
１５４−１〜１５４−ｎ：環境変化検出装置
【図１】
2013211668.tif 000003
【図２】
2013211668.tif 000004
【図３】
2013211668.tif 000005
【図４】
2013211668.tif 000006